(57)【要約】【課題】実際に演奏しているかのように鍵を上下させられるようにした演奏玩具を提供する。【解決手段】回転するドラム１ａに設けたピンで音階板を弾くことにより音楽を演奏する自動演奏ユニット１と、伝達機構２を介して前記ドラム１ａの回転と連動して上下する複数の鍵３を有し、伝達機構２は、前記ドラム１ａと連動して回転するクラッチ２ａと、クラッチ２ａとともに回転して鍵３を上下させるカム２ｂと、前記カム２ｂの停止及びその解除をするためのカム制御具２ｃを有し、前記カム２ｂには自動演奏ユニット１の無演奏期間に対応する鍵３の無動作期間を生じさせる領域２ｂ１０が存在するものとし、カム制御具２ｃを操作してカム２ｂを停止させている間、クラッチ２ａがカム２ｂに対して相対回転することにより前記ドラム１ａの回転が継続し、自動演奏ユニット１の無演奏期間と鍵３の無動作期間を合わせられるようにしている。【選択図】図２
2010152062.tif 000002
【特許請求の範囲】
【請求項１】
回転するドラム（１ａ）に設けたピンで音階板を弾くことにより音楽を演奏する自動演奏ユニット（１）と、伝達機構（２）を介して前記ドラム（１ａ）の回転と連動して上下する複数の鍵（３）を有し、伝達機構（２）は、前記ドラム（１ａ）と連動して回転するクラッチ（２ａ）と、クラッチ（２ａ）とともに回転して鍵（３）を上下させるカム（２ｂ）と、前記カム（２ｂ）の停止及びその解除をするためのカム制御具（２ｃ）を有し、前記カム（２ｂ）には自動演奏ユニット（１）の無演奏期間に対応する鍵（３）の無動作期間を生じさせる領域（２ｂ１０）が存在するものとし、カム制御具（２ｃ）を操作してカム（２ｂ）を停止させている間、クラッチ（２ａ）がカム（２ｂ）に対して相対回転することにより前記ドラム（１ａ）の回転が継続し、自動演奏ユニット（１）の無演奏期間と鍵（３）の無動作期間を合わせられるようになっていることを特徴とする演奏玩具。
【請求項２】
クラッチ（２ａ）とカム（２ｂ）はともに回転軸（２３）を挿通させたものであって、カム制御具（２ｃ）を操作してカム（２ｂ）を停止させている間、クラッチ（２ａ）は回転軸（２３）に対し相対回転可能であり、カム（２ｂ）は回転軸（２３）に対し相対回転しないようにしている請求項１記載の演奏玩具。
【請求項３】
クラッチ（２ａ）は、カム（２ｂ）の一端に設けられた弾性板（２ｆ）を外嵌する内歯車状の周壁（２ａ１）を有し、弾性板（２ｆ）は弾性変形により少なくとも部分的に径が収縮可能であって前記周壁（２ａ１）の歯に引っ掛かる突起を有するものとすることにより、カム（２ｂ）を停止させている間、クラッチ（２ａ）がカム（２ｂ）に対して相対回転できるようにした請求項１又は２記載の演奏玩具。
【発明の詳細な説明】
【技術分野】
【０００１】
この発明は、自動的に音楽を演奏するようにした演奏玩具に関するものである。
【背景技術】
【０００２】
従来、自動的に音楽を演奏するようにした演奏玩具としては、特許文献１に記載のようなものがある。この演奏玩具は、伝達機構（歯車機構ａ）を介して、鍵盤５が自動演奏ユニット４と連動して上下するようになっており、音楽を聴くだけでなく、鍵盤５が動く様子を見て楽しむこともできるようになっている。
【０００３】
しかし、この従来の演奏玩具は、単純に自動演奏ユニット４の動きに鍵盤５が連動しているだけであるため、自動演奏ユニット４が音楽を演奏していない期間中も鍵盤５が上下する。すなわち、自動演奏ユニット４は、回転するドラムに設けたピンで音階板を弾くことにより音楽を演奏するようにしたものであるが、音楽の終わりと次の開始までの間には、通常２秒間程度の無演奏の期間が生じるようにピンが配置されており、この無演奏の期間中もドラムは回転するため、それに応じて鍵盤５が上下してしまう。
【０００４】
そのため、この従来の演奏玩具は、鍵盤５の動きに違和感があり、実際に演奏しているようには到底見えないため、さほど興味を持たれるようなものではなかった。
【特許文献１】実開平１−１０１５９３号公報
【発明の開示】
【発明が解決しようとする課題】
【０００５】
そこで、この発明は、自動的に音楽を演奏するようにした演奏玩具において、実際に演奏しているかのように鍵を上下させられるようにした演奏玩具を提供することを課題とする。
【課題を解決するための手段】
【０００６】
前記課題を解決するため、この発明は次のような技術的手段を講じている。
【０００７】
この発明の演奏玩具は、回転するドラム１ａに設けたピンで音階板を弾くことにより音楽を演奏する自動演奏ユニット１と、伝達機構２を介して前記ドラム１ａの回転と連動して上下する複数の鍵３を有し、伝達機構２は、前記ドラム１ａと連動して回転するクラッチ２ａと、クラッチ２ａとともに回転して鍵３を上下させるカム２ｂと、前記カム２ｂの停止及びその解除をするためのカム制御具２ｃを有し、前記カム２ｂには自動演奏ユニット１の無演奏期間に対応する鍵３の無動作期間を生じさせる領域２ｂ１０が存在するものとし、カム制御具２ｃを操作してカム２ｂを停止させている間、クラッチ２ａがカム２ｂに対して相対回転することにより前記ドラム１ａの回転が継続し、自動演奏ユニット１の無演奏期間と鍵３の無動作期間を合わせられるようにしたものである。
【０００８】
また、クラッチ２ａとカム２ｂはともに回転軸２３を挿通させたものであって、カム制御具２ｃを操作してカム２ｂを停止させている間、クラッチ２ａは回転軸２３に対し相対回転可能であり、カム２ｂは回転軸２３に対し相対回転しないようにしたものとすることができる。
【０００９】
さらに、クラッチ２ａは、カム２ｂの一端に設けられた弾性板２ｆを外嵌する内歯車状の周壁２ａ１を有し、弾性板２ｆは弾性変形により少なくとも部分的に径が収縮可能であって前記周壁２ａ１の歯に引っ掛かる突起を有するものとすることにより、カム２ｂを停止させている間、クラッチ２ａがカム２ｂに対して相対回転できるようにしたものとすることができる。
【発明の効果】
【００１０】
この発明の演奏玩具は、上述のような構成を有しており、実際に演奏しているかのように鍵を上下させることができる。
【発明を実施するための最良の形態】
【００１１】
以下、この発明の好適な実施形態を、図面を参照して説明する。
【００１２】
図１は、この発明の実施形態の演奏玩具の斜視図、図２は演奏玩具の分解状態の説明図、図３は伝達機構２の第２伝達部２２の分解状態の正面図、図４はカム２ｂの左端の一部分解状態の斜視図、図５はカム２ｂと鍵３に関する説明図、図６は伝達機構２の第２伝達部２２の動作に関する説明図、図７はクラッチ２ａの動作に関する説明図である。
【００１３】
この演奏玩具は、回転するドラム１ａに設けたピンで音階板を弾くことにより音楽を演奏する自動演奏ユニット１と、伝達機構２を介して前記ドラム１ａの回転と連動して上下する複数の鍵３を有し、伝達機構２は、前記ドラム１ａと連動して回転するクラッチ２ａと、クラッチ２ａとともに回転して鍵３を上下させるカム２ｂと、前記カム２ｂの停止及びその解除をするためのカム制御具２ｃを有し、前記カム２ｂには自動演奏ユニット１の無演奏期間に対応する鍵３の無動作期間を生じさせる領域２ｂ１０が存在するものとし、カム制御具２ｃを操作してカム２ｂを停止させている間、クラッチ２ａがカム２ｂに対して相対回転することにより前記ドラム１ａの回転が継続し、自動演奏ユニット１の無演奏期間と鍵３の無動作期間を合わせられるようにしたものである。
【００１４】
図１に示したように、この演奏玩具はグランドピアノを模した形状としており、大きさは幅（左右方向）８．５ｃｍ、奥行き（前後方向）９．５ｃｍ程度とすることができる。演奏玩具を構成する部品の材料は、主としてプラスチックであるが、必要に応じて金属その他適宜の材料を使用することができる。
【００１５】
演奏玩具の本体４は、上体４０と下体４１から構成され、上体４０には上扉４２と鍵盤扉４３がヒンジを介して開閉可能に取り付けられている。上体４０の前端側には、複数の鍵３（白鍵と黒鍵）からなる鍵盤が設けられている。
【００１６】
自動演奏ユニット１は、下体４１の後部（奥側）の上面に固定される。自動演奏ユニット１は、ゼンマイ、固定音階板等（図示せず）、ドラム１ａを内蔵しており、その上面に突出して設けられたゼンマイハンドル１０で、内蔵されたゼンマイを巻くことにより、ドラム１ａが回転するようにしたものである。ドラム１ａの周面には多数のピン（とげ）が設けられており、櫛の歯形の固定音階板を順次弾くことにより自動的に音楽を演奏する。ドラム１ａは、その回転中において音楽の終わりと次の開始までの間に２秒間程度の無演奏期間（音階板が弾かれない期間）が生じるようにピンが配置されている。
【００１７】
下体４１の上側には、鍵盤扉４３の開閉に連動して自動演奏ユニット１の動作の開始と停止を制御するための機構が設けられている。この機構は、図２中、時計方向に回転するように付勢された回転部材４４と、一端（後端）が回転部材４４に押されており、鍵盤扉４３を開くと前方に移動し、鍵盤扉４３を閉じると後方に移動して回転部材４４を反時計方向に回転させる前後動部材４５からなる。
【００１８】
鍵盤扉４３を閉じると、回転部材４４は反時計方向に回転し、その一端が自動演奏ユニット１の内部に設けられたフライホイールに当たり、フライホイールの回転が停止することにより、ドラム１ａの回転が停止する。そして、鍵盤扉４３を開くと、回転部材４４は時計方向に回転し、フライホイールから離れ、再びドラム１ａが回転する。また、下体４１の下側には、脚４６とペダル４７が固定されている。
【００１９】
伝達機構２は、下体４１の上側において、左縁部の後部寄りに位置する第１伝達部２１と、それより前方の鍵盤の付近に位置する第２伝達部２２からなる。第１伝達部２１は、前後方向に３枚の歯車２１ａ〜２１ｃを組み合わせたものであり、後端の歯車２１ｃは自動演奏ユニット１のドラム１ａの回転軸の一端側に設けられた歯車１１と噛合され、前端の歯車２１ａは第２伝達部２２のクラッチ２ａに取り付けられた歯車２ａ２と噛合される。
【００２０】
第２伝達部２２は、下体４１の前側寄りの位置において、左右縁部に形成された軸受けに両端部が回転可能に軸支された回転軸２３と、第１伝達部２１の前端の歯車２１ａの動きを受けるクラッチ２ａと、上下する各鍵３に対応するカム２ｂからなる。回転軸２３は金属の棒であり、自動演奏ユニット１のドラム１ａと同じ周期で回転するようにしている。
【００２１】
カム２ｂ（カム構成片２ｂ１）の左側の面には、中央の孔２ｂ９を挟んで２つの短い棒状突起２ｂ１１が形成されており、クラッチ２ａと突出部材２ｄを取り付けるための取付部材２ｅが固着されている（図４（ａ））。取付部材２ｅは前記棒状突起２ｂ１１が貫通する２つの孔２ｅ０を有しており、カム２ｂの左右の面より小径で、中央から外側に通じる凹部２ｅ１が形成されており、この凹部２ｂ０に一部２ｄ０が外方に突出する突出部材２ｄが設けられている。また、前記凹部２ｅ１の中央には前記孔２ｂ９に通じる孔が形成されている。
【００２２】
突出部材２ｄは、突出する側の反対側に設けられたスプリング２ｇにより付勢されており、カム２ｂの回転を停止させるときに機能する。突出部材２ｄの前記凹部２ｅ１に入る部分は円形を一方向に引き伸ばしたような形状であり、内側に回転軸２３に対して突出部材２ｄを移動可能にする孔２ｄ２を有している。
【００２３】
取付部材２ｅの左側の面には、前記２つの棒状突起２ｂ１１が突出しており、この棒状突起２ｂ１１が貫通する２つの孔２ｆ０を有する弾性板２ｆが固定される（図４（ｂ））。弾性板２ｆは、外形がほぼ真円であって、中心（前記２つの孔２ｆ０の間）に回転軸２３を挿通させる孔２ｆ１を有し、対向する一側と他側の縁部に外側から見て時計周り方向に延びる腕２ｆ２，２ｆ３を有する形状としている。この構成により、弾性板２ｆは２つの腕２ｆ２，２ｆ３の付近の径が収縮可能である。各腕２ｆ２，２ｆ３の先端には外方に突出する突起２ｆ４，２ｆ５が形成されている。突起２ｆ４，２ｆ５は、弾性板２ｆの他の部分の周縁よりも中心から遠い位置にある。
【００２４】
クラッチ２ａは、円板２ａ０とその周囲に立設された周壁２ａ１からなるキャップ状のものであり、円板２ａ０の左側の面に、前記第１伝達部２１の前端の歯車２１ａに噛合される歯車２ａ２が固定されている。円板２ａ０と歯車２ａ２の中心には回転軸２３が挿通する孔２ａ３が設けられているが、孔２ａ３のまわりの面と回転軸２３は大きな摩擦が生じないようにしているため、クラッチ２ａは回転軸２３と相対回転可能である。
【００２５】
クラッチ２ａの周壁２ａ１は、内側に多数の三角状の歯２ａ１０が形成された内歯車状となっており、前記弾性板２ｆを外嵌するとともに、弾性板２ｆの腕２ｆ２，２ｆ３の先端の突起２ｆ４，２ｆ５が歯２ａ１０に引っ掛かるようにしている。前記突起２ｆ４，２ｆ５の引っ掛かりにより、クラッチ２ａが回転するとカム２ｂも回転するが、カム２ｂが停止しても、ドラム１ａの回転力が伝達されてクラッチ２ａに一定以上の力が加わっている状態では、前記突起２ｆ４，２ｆ５が移動し、クラッチ２ａは弾性板２ｆに対して相対回転するようになっている。
【００２６】
カム２ｂは、周面に各鍵３の後端部３１ａが嵌る凹部２ｂ０が設けられた、複数の円盤状のカム構成片２ｂ１〜２ｂ７からなるものである。この実施形態では、カム構成片２ｂ１〜２ｂ７の個数（７個）は、上下する鍵３の数の半分であり、１つのカム構成片に対して２つの隣り合う鍵３が対応する。鍵盤の左右両端側の一部の白鍵と、すべての黒鍵は上下しないものとしており、これらに対応するカム構成片は存在しない。各カム構成片２ｂ１〜２ｂ７はそれぞれ２つ分の鍵３の幅と同じ厚みを有しており、周面において厚みを２分する中央の両側の各部分に、それぞれ凹部２ｂ０が設けられている。
【００２７】
各カム構成片２ｂ１〜２ｂ７の凹部２ｂ０の数は適宜でよいが、実際のピアノの演奏において使用頻度が高いと思われる鍵３に対応するカム構成片の部分には、他のカム構成片の部分より多くの凹部２ｂ０を設けるとよい。各カム構成片２ｂ１〜２ｂ７の凹部２ｂ０は、すべての鍵３が同時に上下してしまうなど不自然な動きにならないように、適度にばらつかせて設けることが望ましい。
【００２８】
各カム構成片２ｂ１〜２ｂ７の中心部には、筒状体２ｂ８を挿通させるための孔２ｂ９が形成されており、各カム構成片２ｂ１〜２ｂ７がこの筒状体２ｂ８に串刺し状に固定されることにより丸棒状のカム２ｂとなる。筒状体２ｂ８は、内側に回転軸２３に外嵌する断面円形の孔を有し、全長は回転軸２３よりやや短く、両端から回転軸２３が一部露出するようにしている。筒状体２ｂ８は回転軸２３の回転に伴って回転する。また、筒状体２ｂ８は、断面が円の一部が半径方向に突出したような非円形であり、各カム構成片２ｂ１〜２ｂ７と相対回転しないようになっている。
【００２９】
左端のカム構成片２ｂ１には前記取付部材２ｅを介してクラッチ２ａが取り付けられており、カム２ｂがカム制御具２ｃにより停止されていない間は、カム２ｂはクラッチ２ａとともに回転する。
【００３０】
カム２ｂには、左右両端間にわたって凹部２ｂ０のない領域が存在し、この領域が後述の鍵３の後端部３１ａに接触している間は鍵３が上下しない。すなわち、この領域が自動演奏ユニット１の無演奏期間に対応する鍵３の無動作期間を生じさせる領域２ｂ１０である。この領域２ｂ１０は、後述のカム２ｂの回転が停止した状態において、中央下端付近（鍵３の後端部３１ａとの接触箇所）よりも回転方向側（図６（ａ）中、下端右側）に位置するようになっている。
【００３１】
カム制御具２ｃは、本体４の下体４１の上側を前後方向にスライドする上部２ｃ０と、本体４の下体４１の下側を前後方向にスライドする下部２ｃ１からなり、上部２ｃ０と下部２ｃ１は、両者を上下方向に貫通するネジ孔にネジ２ｃ２を螺合させることにより一体化されている。
【００３２】
カム制御具２ｃの上部２ｃ０は下方に突出する突出部２ｃ００を有しており、この突出部２ｃ００が本体４の下体４１に前後方向に延びるように設けられた孔４１０に入り、この孔４１０内において突出部２ｃ００が動ける範囲内で、カム制御具２ｃが前後動できるようになっている。
【００３３】
カム制御具２ｃの下部２ｃ１は、カム制御具２ｃを前後動させるときに指で押し易いように、前後方向の中央部が隆起した形状としている。また、カム制御具２ｃは、本体４の下体４１の上面に設けられた弾発部材５の先端がカム制御具２ｃの上部２ｃ０の側部に当接することにより、指を離しても、カム２ｂが停止状態となる位置、及びカム２ｂが回転可能な（停止状態が解除される）位置のいずれかに維持されるようにしている。
【００３４】
カム制御具２ｃの上部２ｃ０は、上方に延びる掛止部２ｃ０１を有している。掛止部２ｃ０１は、後側の面が略円弧状に傾斜し、下方に向かって前後方向の幅が広くなる形状としている。この掛止部２ｃ０１が、前記第２伝達部２２における取付部材２ｅの突出部材２ｄに当接することにより、カム２ｂを停止させることができる。具体的には、カム制御具２ｃを後方（図６では右方向）にスライドさせて第２伝達部２２に近接させると、図６（ａ）に示したように、掛止部２ｃ０１の頂部が、回転する突出部材２ｄの下側の面に接触し、カム２ｂの回転が停止する。この際、クラッチ２ａは、カム２ｂに対して相対回転可能であるため回転したままになる。
【００３５】
カム制御具２ｃを後方にスライドさせるタイミングによっては、図６（ｂ）に示したように、掛止部２ｃ０１が第２伝達部２２の突出部材２ｄを押し込む場合がある。この場合は、突出部材２ｄが掛止部２ｃ０１の後側の面に接触しつつカム２ｂが少し回転した後また突出した状態に復帰するため、カム２ｂはしばらく（約１周）回転するが、突出部材２ｄが再び掛止部２ｃ０１に掛止されたときにカム２ｂは停止する。
【００３６】
図６（ｃ）に示したように、カム制御具２ｃを前方にスライドさせて第２伝達部２２から離すと、カム２ｂの回転の停止が解除され、カム２ｂは再び回転する。
【００３７】
上下する鍵３は、ピアノの白鍵を模した基部３０と、基部３０の後端から後方に延びる後部３１から形成されている。基部３０の後端には下側から上方に延びる切込み部３２が形成されており、この切込み部３２に、本体４の下体４１の左右縁部に両端部が固定された軸３３を入れることにより、鍵３が前記軸３３を支点にしてシーソー状に上下できるようになっている。
【００３８】
鍵３の後部３１は、基部３０の上端から基部３０より下方に達し、前方に延びるようにしたバネ性のある部分であり、その後端部３１ａは上方に傾斜して、カム２ｂの凹部２ｂ０に嵌ることができるようにしている。
【００３９】
基部３０の前端の下部には、前方に突出する凸部３０ａが形成されており、この凸部３０ａは本体４の前端の裏側に形成された凹部４８内を上下に移動可能になっている。前記凸部３０ａが凹部４８の上端に達したとき、基部３０が略水平な状態、すなわち鍵３が押されていない状態となる。なお、本体４には基部３０の前記凸部３０ａ付近に接するクッション材４９が設けられており、基部３０と本体４が接触する際に雑音が生じないようにしている。
【００４０】
鍵３は、その後端部３１ａが、回転するカム２ｂの中央下端付近の周面に常時接するようになっており、凹部２ｂ０のない部分に接触している場合は、基部３０がほぼ水平な状態であり、凹部２ｂ０に嵌ると、後端部３１ａ側が上昇し、基部３０の前端側が下がることにより、打鍵したように見える。そして、鍵３の後端部３１ａが凹部２ｂ０から出ると、再び基部３０がほぼ水平な状態にもどる。
【００４１】
なお、鍵３は、この演奏玩具の組み立て過程において、本体４の上体４０及び鍵盤扉４３を取り付けていない状態で、カム２ｂの凹部２ｂ０のない部分に接触しているときは、前端側が若干上方に傾斜した状態になるようにしておき、本体４の上体４０及び鍵盤扉４３を取り付けたとき、これらによって後部３１が弾性変形して水平な状態に矯正されるようにするとよい。
【００４２】
次に、この演奏玩具の使用方法について説明する。まず、カム制御具２ｃを後方にスライドさせて、ゼンマイハンドル１０により自動演奏ユニット１のゼンマイを巻き、自動演奏ユニット１による音楽の演奏を開始させる。
【００４３】
このとき、前述の通り、カム制御具２ｃの掛止部２ｃ０１の頂部が、突出部材２ｄの下側の面に接触していれば、カム２ｂの回転が停止するが（図６（ａ））、そうでなければ、しばらくカム２ｂが回転し（図６（ｂ））、カム制御具２ｃの掛止部の頂部が、突出部材２ｄの下側の面に接触してカム２ｂの回転が停止する。
【００４４】
カム２ｂの回転が停止している間は、すべての鍵３の動作も停止しているが、自動演奏ユニット１、第１伝達部２１及びクラッチ２ａの回転は継続する。なお、自動演奏ユニット１のゼンマイの巻きが少ないためにドラム１ａの回転力が一定以下になっていると、クラッチ２ａが前記弾性板２ｆの突起２ｆ４，２ｆ５の引っ掛かりによって停止することにより、連動するドラム１ａの回転も停止するため、予めゼンマイを十分に巻いておく。
【００４５】
そして、カム２ｂの回転を停止させたまま、自動演奏ユニット１の無演奏期間、すなわち音楽の終わりと次の開始までの間が来るのを待ち、再び音楽が開始したと同時にカム制御具２ｃを前方にスライドさせてカム２ｂの停止状態を解除する。これにより、自動演奏ユニット１のドラム１ａとカム２ｂの動作が同期し、自動演奏ユニット１の無演奏期間と鍵３の無動作期間が合うようになる。
【００４６】
このような操作は、演奏玩具を工場から出荷する前に行えばよいが、演奏玩具を使用しているうちに自動演奏ユニット１の無演奏期間と鍵３の無動作期間が一致しなくなったときにも、同様の操作を行えばよい。例えば、複数の上下する鍵３を同時に指で押し下げると、各鍵３の後端部が同時にカム２ｂの各凹部２ｂ０に嵌った状態となり、自動演奏ユニット１の演奏中でもカム２ｂが停止してしまうことがあり得るが、そのような場合でも、前述と同様の操作を行うことにより、自動演奏ユニット１の無演奏期間と鍵３の無動作期間を合わせることができる。
【００４７】
このようにして調整された演奏玩具は、鍵盤扉４３を開くと、自動演奏ユニット１の演奏に伴って鍵盤が上下する。鍵３の動きは、自動演奏ユニット１の演奏する音楽の実際の音階に対応するものではなくても、自動演奏ユニット１の無演奏期間中はこれに同期して動作しないため、違和感がなく、実際に演奏しているように見える。鍵盤扉４３を閉じると自動演奏ユニット１の演奏及び鍵盤の動作は停止する。
【００４８】
自動演奏ユニット１の無演奏期間と鍵３の無動作期間は、おおよそ人の感覚で不自然さが感じられない程度に一致していればよく、ドラム１ａとカム２ｂの回転周期や凹部２ｂ０の設け方等は、適宜変更して実施することができる。
【００４９】
なお、自動演奏ユニット１の演奏する音楽の音階に正しく対応するように、各鍵３が上下する構成とすることも不可能ではないが、あえてそのようにしなくても、自動演奏ユニット１の無演奏期間と鍵３の無動作期間が合ってさえいれば、音階に対応する鍵３が上下しているかのように見える。そのため、比較的シンプルな構造でありながら、様々な楽曲に対応することが可能である。
【００５０】
以上がこの発明の好適な実施形態であるが、この発明は上述の実施形態の構成に限定されるものではなく、素材、形状、寸法等を適宜変更して実施することができる。例えば、自動演奏ユニット１のドラム１ａから伝達機構２への動力の伝達は、上記のようなドラム１ａを経由する構成ではなく、ドラム１ａを経由せず、ドラム１ａを回転させるギアやプーリー等を介して行われるようにしてもよい。また、自動演奏ユニット１はゼンマイ式ではなく、電動式のものとしてもよい。
【図面の簡単な説明】
【００５１】
【図１】この発明の実施形態の演奏玩具の斜視図である。
【図２】この発明の実施形態の演奏玩具の分解状態の説明図である。
【図３】この発明の実施形態の演奏玩具における伝達機構の第２伝達部の分解状態の正面図である。
【図４】この発明の実施形態の演奏玩具におけるカムの左端の一部分解状態の斜視図である。
【図５】この発明の実施形態の演奏玩具におけるカムと鍵に関する説明図である。
【図６】この発明の実施形態の演奏玩具における伝達機構の第２伝達部の動作に関する説明図である。
【図７】この発明の実施形態の演奏玩具におけるクラッチの動作に関する説明図である。
【符号の説明】
【００５２】
１  自動演奏ユニット
２  伝達機構
２ａ  クラッチ
２ａ１  周壁
２ｂ  カム
２ｂ１０  鍵の無動作期間を生じさせる領域
２ｃ  カム制御具
２ｆ  弾性板
２３  回転軸
３  鍵
【図１】
2010152062.tif 000003
【図２】
2010152062.tif 000004
【図３】
2010152062.tif 000005
【図４】
2010152062.tif 000006
【図５】
2010152062.tif 000007
【図６】
2010152062.tif 000008
【図７】
2010152062.tif 000009